(57)【要約】【課題】  堅牢であるばかりか組立も容易であるとともに多量生産にも優れたトイレットペーパーホルダーを提供する。【解決手段】  トイレットペーパーホルダー１は、壁面取付部２と、一対の側壁部材３と、前記側壁部材３における下方の基端部に配置された上下方向の軸体４により軸芯を中心として反転回動して前後水平方向に揺動可能に対向して配置されてトイレットペーパー５の筒芯５１の両端部に差し込んで保持する一対のペーパー保持部材６と、前記各ペーパー保持部材６を弾圧付勢するトーションばねからなる付勢部材７とを有する。【選択図】図１
2018183358.tif 000002
【特許請求の範囲】
【請求項１】
壁面取付部と、該壁面取付部の左右から前方に延設された一対の側壁部材と、前記側壁部材における下方の基端部に配置された上下方向の軸体により軸芯を中心として反転回動して前後水平方向に揺動可能に対向して配置されてトイレットペーパーの筒芯の両端部に差し込んでトイレットペーパーを保持する一対のペーパー保持部材と、前記各ペーパー保持部材をトイレットペーパーの筒芯の両端部に向かい合って差し込み保持するように指向して弾圧付勢する付勢部材とを有するトイレットペーパーホルダーであって、
前記一対の側壁部材が左右幅を薄く形成した上方開口で有底のケース形状であるとともに底壁の前端部において貫通形成された軸孔に少なくとも反転回動可能な軸体が前記底壁の内面に接するフランジにより垂設されているとともに前記軸体の下方に前記ペーパー保持部材の基端部が前記軸体と共に回転するように保持されて前記軸体により軸芯を中心として反転回動して前後水平方向に揺動可能に対向して配置されてトイレットペーパーの筒芯の両端部に差し込んでトイレットペーパーを保持可能とし、且つ前記軸体が前記側壁部材の開口部内に配置したトーションばねからなる前記付勢部材により前記ペーパー保持部材をトイレットペーパーの筒芯の両端部に向かい合って差し込み保持するように指向して弾圧付勢することを特徴とするトイレットぺーパーホルダー。
【請求項２】
前記各側壁部材の底壁に垂設された軸体の先部が保持されたペーパー保持部材に貫通突出しているとともに、前記軸体のペーパー保持部材からの突出端が底壁の前端部の下方において前記ペーパー保持部材の基端部の縦幅が嵌挿された空間を隔てて配置された支持部に貫通された軸孔に回動可能に保持されることを特徴する請求項１記載のトイレットペーパーホルダー。
【請求項３】
前記各側壁部材における底壁の内面に前記底壁に形成された軸孔に連通する軸孔を有する適宜高さの筒体が立設されており、前記軸体における回動軸芯のぶれを防ぐことを特徴とする請求項１または２記載のトイレットペーパーホルダー。
【請求項４】
前記軸体が硬質の合成樹脂により形成されているとともに先端にスナップ式のワンタッチで連結可能な連結部が形成されていることを特徴とする請求項１，２または３記載のトイレットペーパーホルダー。
【請求項５】
前記壁面取付部と一対の側壁部材とが硬質合成樹脂により形成されているとともに前記壁面取付部と一対の側壁部材の頂面の覆い板と側壁部材に重なる補強板とを断面「形に形成した金属製の補強部材を装着したことを特徴とする請求項１，２，３または４記載のトイレットペーパーホルダー。
【請求項６】
前記軸体の基端に組立、修理などを容易にするための板状保持部を延設していることを特徴とする請求項１，２，３，４または５記載のトイレットペーパーホルダー。
【発明の詳細な説明】
【技術分野】
【０００１】
本発明は、巻回したトイレットペーパーをトイレの壁面などに付設するために用いられるトイレットペーパーホルダーに関するものである。
【背景技術】
【０００２】
巻回したトイレットペーパーをトイレの壁面などに付設する目的でトイレットペーパーホルダーが用いられており、多くは壁面に立設させた一対の側板間にトイレットペーパーの筒芯を保持させるものであり、衛生面を保つことは言うまでもなく、保持が確実で且つ交換が容易なもの、更には少ない設置スペースが望まれており、例えば特開平９−２１５６２８号公報に優れたトイレットペーパーホルダーが提示されている。
【０００３】
この公報に提示されているトイレットペーパーホルダーは、図７に示すように、壁面取付部２ａと、該壁面取付部２ａの左右から前方に延設された一対のアーム部３ａ，３ａと、該アーム部３ａ，３ａの前端から下方に垂下された一対の垂下部４ａ，４ａとを備え、前記各垂下部４ａ，４ａの下端部に設けられた保持部５ａ，５ａの軸周りに長軸状のねじ６ａにより回転自在に取り付けられ、前後水平方向に揺動可能であり、トイレットペーパー７ａの筒芯８ａの両端部に侵入してトイレットペーパー７ａを保持する一対の保持部材９ａ，９ａと、前記各保持部材９ａ，９ａ内に人型（或いはトーションばね（図示せず））による付勢部材１０ａを内装し、該付勢部材１０ａの一端部を前記垂下部４ａ，４ａの保持部５ａ，５ａに係合し、他端部を該保持部材９ａ，９ａの係止部１１ａ，１１ａ内に係合し、前記各保持部材９ａ，９ａを、前記付勢部材１０ａでトイレットペーパー７ａの筒芯８ａの両端部に向かい合って侵入して保持するように指向して弾圧付勢するように構成したものである。
【０００４】
そのため、トイレットペーパーの移動が前後方向のみで済み、トイレットペーパーホルダー１ａの壁面に上下の空間を使用することが一切無く、スペース上極めて有利であり、また、限られたスペース内で機能的に設置することができるとともに側部の奥行寸法はペーパーの外径の略々半分で足りて奥行寸法が短くて済み、トイレの壁面からの突出量が小さくて済み、ワンタッチで衛生的に脱着を行ない得るなどの利点を有している。
【０００５】
しかしながら、前記公報に提示されたトイレットペーパーホルダー１ａは、空洞に形成した保持部材９ａ内に付勢部材１０ａを内装するものであることから組立が困難であるとともに付勢部材１０ａの容量も制限され、更に、保持部材９ａはアーム部３ａ，３ａの前端から下方の垂下部４ａに備えた下端部に設けられた保持部５ａの軸周りに長軸状のねじ６ａにより回転自在に取り付けられるものであり使用時にねじ６ａが緩んで抜け落ちてしまうという問題等がある。
【先行技術文献】
【特許文献】
【０００６】
【特許文献１】特開平９−２１５６２８号公報
【発明の概要】
【発明が解決しようとする課題】
【０００７】
本発明は、前記従来の使い勝手の良いトイレットペーパーホルダーの改良に係るものであり、堅牢であるばかりか組立も容易であるとともに多量生産にも優れたトイレットペーパーホルダーを提供することを課題とする。
【課題を解決するための手段】
【０００８】
前記課題を解決するためになされた本発明は、壁面取付部と、該壁面取付部の左右から前方に延設された一対の側壁部材と、前記側壁部材における下方の基端部に配置された上下方向の軸体により軸芯を中心として反転回動して前後水平方向に揺動可能に対向して配置されてトイレットペーパーの筒芯の両端部に差し込んでトイレットペーパーを保持する一対のペーパー保持部材と、前記各ペーパー保持部材をトイレットペーパーの筒芯の両端部に向かい合って差し込み保持するように指向して弾圧付勢する付勢部材とを有するトイレットペーパーホルダーであって、前記一対の側壁部材が左右幅を薄く形成した上方開口で有底のケース形状であるとともに底壁の前端部において貫通形成された軸孔に少なくとも反転回動可能な軸体が前記底壁の内面に接するフランジにより垂設されているとともに前記軸体の下方に前記ペーパー保持部材の基端部が前記軸体と共に回転するように保持されて前記軸体により軸芯を中心として反転回動して前後水平方向に揺動可能に対向して配置されてトイレットペーパーの筒芯の両端部に差し込んでトイレットペーパーを保持可能とし、且つ前記軸体が前記側壁部材の開口部内に配置したトーションばねからなる前記付勢部材により前記ペーパー保持部材をトイレットペーパーの筒芯の両端部に向かい合って差し込み保持するように指向して弾圧付勢することを特徴とする。
【０００９】
また、本発明において、前記各側壁部材の底壁に垂設された軸体の先部が保持されたペーパー保持部材に貫通突出しているとともに、前記軸体のペーパー保持部材からの突出端が底壁の前端部の下方において前記ペーパー保持部材の基端部の縦幅が嵌挿された空間を隔てて配置された支持部に貫通された軸孔に回動可能に保持されることによりペーパー保持部材を確実に保持させることができる。
【００１０】
更に、本発明において、前記各側壁部材における底壁の内面に前記底壁に形成された軸孔に連通する軸孔を有する適宜高さの筒体が立設されており、前記軸体における回動軸芯のぶれを防ぐことができる。
【００１１】
加えて、本発明において、前記軸体が硬質の合成樹脂により形成されているとともに先端にスナップ式のワンタッチに連結可能な連結部が形成されている場合には組立も簡単である。
【００１２】
更にまた、本発明において、前記壁面取付部と一対の側壁部材とが硬質合成樹脂により形成されているとともに前記壁面取付部と一対の側壁部材の頂面の覆い板と側壁部材に重なる補強板とを断面「形に形成した金属製の補強部材を装着すると強度を保つことができる。
【００１３】
本発明において、前記軸体の基端に組立、修理などを容易にするための板状保持部を延設することもできる。
【発明の効果】
【００１４】
本発明によれば、トイレットペーパーホルダーの壁面に上下の空間を使用することが一切無く、スペース上極めて有利であり、また、限られたスペース内で機能的に設置することができるとともに側部の奥行寸法はペーパーの外径の略々半分で足りて奥行寸法が短くて済み、トイレの壁面からの突出量が小さくて済み、ワンタッチで衛生的に脱着を行ない得ることは言うまでもなく、堅牢であるばかりか組立も容易であるとともに多量生産にも優れているなどの効果を奏するものである。
【図面の簡単な説明】
【００１５】
【図１】本発明の好ましい実施の形態の一部を分解した状態を示す斜視図。
【図２】図１に示した実施の形態の正面図。
【図３】図２のＡ−Ａ線に沿う断面図。
【図４】図２のＢ−Ｂ線に沿う断面図。
【図５】図１に示した実施の形態における軸体、付勢部材、ペーパー保持部材を示す（ａ）分解状態の斜視図および（ｂ）組立状態の斜視図。
【図６】本発明の異なる実施の形態を示す正面図。
【図７】従来例を示すものであり、（ａ）は斜視図、（ｂ）は要部を示す分解斜視図。
【発明を実施するための形態】
【００１６】
以下に、図面を参照しながら本発明を実施するための形態を説明する。
【００１７】
図１乃至図５は、本発明の好ましい実施の形態であるトイレットペーパーホルダー１を示すものであり、主として、板材により形成される壁面取付部２と、前記壁面取付部２の左右から前方に延設された一対の側壁部材３，３と、前記側壁部材３，３における下方の基端部に配置された上下方向の軸体４により軸芯を中心として反転回動して前後水平方向に揺動可能に対向して配置されてトイレットペーパー５の筒芯５１の両端部に差し込んでトイレットペーパー５を保持する一対のペーパー保持部材６，６と、前記各ペーパー保持部材６をトイレットペーパー５の筒芯５１の両端部に向かい合って差し込み保持するように指向して弾圧付勢する付勢部材７とを有する。
【００１８】
更に詳細に説明すると、本実施の形態では、壁面取付部２と、前記壁面取付部２の左右から前方に延設された一対の側壁部材３，３はいずれも堅牢且つ軽量な硬質合成樹脂により形成され壁面取付部２に形成されたねじ孔２１を介して止めねじ８１によりトイレの壁面８に取り付けられる。
【００１９】
また、一対の側壁部材３は左右幅を薄く形成した上方開口３１で底壁３２を有するケース体からなるとともに底壁３２の前端部において貫通形成された軸孔３３が形成されている内面３４において前記軸孔３３に連通する軸孔３５を有する適宜高さの筒体３６が立設されており、前記軸体４を前記軸孔３３および軸孔３５に連通させて軸体４の回動軸芯のぶれを防いで回動可能に配置されている。
【００２０】
特に本実施の形態では前記軸体４が硬質合成樹脂により形成されており、所定の軸部位置に拡設した円弧状のフランジ４１が突設されており、このフランジ４１が前記筒体３６の頂面３７に接して垂下させることにより支持されており、軸体４が抜け落ちる心配がない。
【００２１】
更に、本実施の形態では前記軸体４は前記各側壁部材３の底壁３２に形成した軸孔３３の貫通部分より先の軸径が異形でその部分において前記ペーパー保持部材６の基端部６１に形成した異形の軸孔６２が嵌挿可能に保持されており軸体４とペーパー保持部材６とが一体に回動される。
【００２２】
また、本実施の形態では互いに対向する各側壁部材３，３において前記筒体３６に支持された軸体４は前記ペーパー保持部材６に貫通した先部が円形の形状部４２とスナップ式の係止部４３が先端に向けて貫通突出しているとともに、この突出端が底壁３２の前端部の下方において前記ペーパー保持部材６の基端部の縦幅が嵌挿された空間３８を隔てて配置された支持部３９に貫通された軸孔３０に差し込むことにより前記軸体４が前記フランジ４１と前記支持部３９との間に上下方向にペーパー保持部材６を一体として回動可能に架設されて反転回動して一対のペーパー保持部材６，６を前後水平方向に揺動可能に対向して配置されてトイレットペーパー５の筒芯５１の両端部に差し込んでトイレットペーパー５を保持することを可能としており、組立も容易である。
【００２３】
一対のペーパー保持部材６，６と、前記各ペーパー保持部材６をトイレットペーパー５の筒芯５１の両端部に向かい合って差し込み保持するように指向して弾圧付勢する付勢部材７とを有する。
【００２４】
そして、本実施の形態では前記付勢部材７は、両遊端７１，７１を前記各側壁部材３の開口３１を形成する一方の内壁３１１に支持させるとともに巻回部７２を軸体４の前記フランジ４１と前記軸体４の更に基端側に所定の位置だけ隔てて配置した円形のフランジ４４との間に挟持させた状態で前記軸体４に外装されたトーションばねからなり、且つ前記フランジ４１の対向側に前記フランジ４４より垂下させた円弧状に湾曲した所定長さの突片４５を前記付勢部材７の両遊端７１，７１に係止して前記軸体４の回動に対して反転する付勢力を発揮させることにより前記軸体４に一体的に回動する各ペーパー保持部材６，６をトイレットペーパー５の筒芯５１の両端部に向かい合って差し込み保持するように指向して弾圧付勢することができる。
【００２５】
尚、本実施の形態では前記突片４５はその底面位置が前記フランジ４１の底面位置と上下方向に一致する位置に形成されており、それらの底面が前記筒体３６の頂面３７に支持されるので軸体４がより円滑に回動可能に保持される。
【００２６】
このように本実施の形態は使用者がトイレットペーパー５の軸芯５１の両端部分をペーパー保持部材６，６に当てて付勢力に抗して水平方向に押し込むだけでペーパー保持部材６，６をトイレットペーパー５の筒芯５１の両端部に差し込んでトイレットペーパー５を保持することを可能とし、使用後の軸芯５１の取り外しも容易であり、上下方向のスペースも少なくて済む。
【００２７】
更にまた、本実施の形態では、壁面取付部２と一対の側壁部材３，３が硬質の合成樹脂により形成されているので前記壁面取付部２と一対の側壁部材３，３の頂面の覆い板９１と側壁部材３に重なる補強板９２とを断面「形に形成した例えばアルミニウムなどの金属製の補強部材９を装着することにより更に強度を向上させることができる。
【００２８】
尚、図面中、符号９３は壁面取付部２のねじ孔２１に連通して補強板９２に形成された貫通孔である。
【００２９】
また、本実施の形態では、前記軸体４の基端に板状保持部４６が延設されており、この板状保持部４６部分を掴むことにより軸体４の組立、修理などの脱着を容易にしている。
【００３０】
尚、図面中、符号１０は取り付けられたトイレットペーパー５の上方位置に適宜離間させて配置されたカバー体、符号１１は壁面取付部２および側壁部材３，３の頂面を覆う天板であり、前記カバー体１０は対向する側壁部材３，３間に架設された軸体１０１にカバー板１０２が支持されているとともに前端にトイレットペーパー５の片手での切断を可能にするための錘１０３が配置されている。
【００３１】
尚、本実施の形態では軸体４，４の先端を各側壁部材３，３の底壁３２の前端部の下方において前記ペーパー保持部材６の基端部の縦幅が嵌挿された空間３８を隔てて配置された支持部３９に回動可能に保持させたことによりペーパー保持部材６を確実に軸体４に支持させることができるが、前記支持部３９を設けることなく軸体４，４の先端に直接ペーパー保持部材６を固着させる構造であっても良い。
【００３２】
図６は本発明の異なる実施の形態を示すものであり、前記図１乃至図５に示した実施の形態であるトイレットペーパーホルダー１の２個を左右方向に併設したものであり、中央の側壁部材３が左右方向の両側にペーパー保持部材６，６が配置されている点が異なるものであり、一方のトイレットペーパー５を使ってしまった場合にもそのまま予備のトイレットペーパー５を使用可能としている。
【符号の説明】
【００３３】
１  トイレットペーパーホルダー、２  壁面取付部、３  側壁部材、４  軸体、５  トイレットペーパー、６  ペーパー保持部材、７  付勢部材、８  壁面、９  補強部材、１０  カバー体、２１  ねじ孔、３０  軸孔、３１  開口、３２  底壁、３３  軸孔、３４  内面、３５  軸孔、３６  筒体、３７  頂面、３８  空間、３９  支持部、４１  フランジ、４２  筒状部、４３  係止部、４４  フランジ、４５  突片、４６  板状保持部、５１  筒芯、６１  基端部、６２  軸孔、７１  遊端、７２  巻回部、８１  止めねじ、９１  覆い板、９２  補強板、１０１  軸体、１０２  カバー板、１０３  錘、３１１  内壁
【図１】
2018183358.tif 000003
【図２】
2018183358.tif 000004
【図３】
2018183358.tif 000005
【図４】
2018183358.tif 000006
【図５】
2018183358.tif 000007
【図６】
2018183358.tif 000008
【図７】
2018183358.tif 000009